(57)【要約】【課題】  これまで可能とされてきた従来技術のものよりも、より簡単に操作できるようにハンドシャワーを構成する。【解決手段】  ハンドシャワーのハンドルは、ボタンまたは別の変形可能要素を１度だけ押すことによって作動する遠隔制御装置を収容する。前記遠隔制御装置は、前記ハンドル内に閉鎖要素として収容される圧電無線スイッチを収容する。このスイッチは壁接続ベンドに取り付けられ、前記壁接続ベンド内の弁に接続される受信機に作用する。前記弁は、前記ハンドシャワーの前記ハンドル内の前記遠隔制御装置を用いてスイッチを切替えることができる。スイッチが切られた状態では、前記シャワーホースが圧力を受けることはない。【選択図】図１
2008055162.tif 000002
【特許請求の範囲】
【請求項１】
ハンドシャワーであって、
シャワーヘッド（１）と、
前記シャワーヘッド（１）を保持するために前記シャワーヘッド（１）に取り付けられたハンドル（２）と、
前記ハンドシャワーにシャワー水を供給するためのシャワーホース（３）と、
前記シャワーホース（３）用の接続部と、
前記シャワーホース（３）の上流に配置された弁（６）と、
前記弁（６）を開閉するための遠隔制御装置であって、前記ハンドル（２）または前記シャワーヘッド（１）に取り付けられ、シャワーを使用する際に作動させることができる前記遠隔制御装置と
を備えた、ハンドシャワー。
【請求項２】
前記遠隔制御装置が無線で操作される、請求項１に記載のハンドシャワー。
【請求項３】
前記遠隔制御装置が保守不要である、請求項１または２に記載のハンドシャワー。
【請求項４】
前記遠隔制御装置が圧電無線スイッチを有する、先行する請求項のいずれか１項に記載のハンドシャワー。
【請求項５】
前記遠隔制御装置の受信機（７）が前記シャワーホース（３）用に接続部の領域、特に壁接続部（４）内に配置される、先行する請求項のいずれか１項に記載のハンドシャワー。
【請求項６】
前記弁（６）が前記シャワーホース（３）用に壁接続部（４）内に配置される、先行する請求項のいずれか１項に記載のハンドシャワー。
【請求項７】
前記弁（６）が電池作動式である、先行する請求項のいずれか１項に記載のハンドシャワー。
【請求項８】
前記弁（６）が一列に配置された発電機によって電力を供給される、先行する請求項のいずれか１項に記載のハンドシャワー。
【請求項９】
前記遠隔制御装置は、前記弁（６）が１つのボタンを押すことなどによってスイッチが入り、同じ動作によって再びスイッチが切られるように設計される、先行する請求項のいずれか１項に記載のハンドシャワー。
【請求項１０】
前記遠隔制御装置は、混合弁の温度変化の方向への調節が１つのボタンを押すことによって作動し、弁の調節が２つめのボタンを押すことによって停止するように設計される、先行する請求項のいずれか１項に記載のハンドシャワー。
【請求項１１】
前記遠隔制御装置は、正の温度変化が１つのボタンを押すことによって作動および停止するように設計される、先行する請求項のいずれか１項に記載のハンドシャワー。
【請求項１２】
前記遠隔制御装置は、負の温度変化が１つのボタンを押すことによって作動および停止するように設計される、先行する請求項のいずれか１項に記載のハンドシャワー。
【発明の詳細な説明】
【技術分野】
【０００１】
本発明はハンドシャワーに関する。
【背景技術】
【０００２】
ハンドシャワーはシャワーホースを介して設備に接続されて、前記シャワーホースを介して前記ハンドシャワーのシャワーヘッドに水を供給する。シャワーホースは一般的に、混合弁および切替弁の下流に接続される。ハンドシャワーを作動させる、つまりスイッチを入れたり切ったりするには、衛生器具に対して操作を行わなければならない。この操作は、片方の手でハンドシャワーのグリップを保持しながらもう片方の手で行うか、もしくはハンドシャワーをホルダーに置いてから行うことができる。
【０００３】
ハンドシャワーに関しては、ウォールバーに対して下側の壁に固定されたホルダーに、弁に接続された据え付け設備を有線または無線で操作する遠隔制御装置を介して配置することが既に提案されてきた。弁は、シャワーブースの外側に配置される（国際公開特許第２００６／０７２７９９Ａ１号）。
【特許文献１】国際公開特許第２００６／０７２７９９Ａ１号
【発明の開示】
【発明が解決しようとする課題】
【０００４】
本発明の目的は、これまで可能とされてきた従来技術のものよりも、より簡単に操作できるようにハンドシャワーを構成することである。
【課題を解決するための手段】
【０００５】
この目的を達成するため、本発明は、次のものを有するハンドシャワーを提供する。前記ハンドシャワーは、シャワーヘッドと、前記シャワーヘッドを保持するために前記シャワーヘッドに配置されたハンドルと、前記ハンドシャワーにシャワー水を供給するためのシャワーホースと、前記シャワーホース用の接続部と、前記シャワーホースの上流に配置された弁と、前記弁を開閉するための遠隔制御装置であって、前記ハンドルまたは前記シャワーヘッド内に配置され、シャワーを使用する際に作動させることができる前記遠隔制御装置とを有する。
【０００６】
本発明の発展形態は従属請求項に記載のものである。
【発明の実施形態】
【０００７】
ユーザは現在、シャワーを浴びるために保持している手でシャワーのスイッチを切替えることができる。スイッチを切るために、前記シャワーを予め置く必要も、もう一方の手を使用する必要もない。遠隔制御装置およびシャワーホースの上流の弁の配置によって、スイッチが切られた状態では、前記シャワーホースが安全規則に反した圧力を受けることはなくなる。
【０００８】
本発明の発展形態では、無線で操作するための遠隔制御装置を提供することができる。特に、方向に関係なく操作できるので、無線遠隔制御装置がここでは適している。したがって、遠隔制御装置の受信機は所望のあらゆる場所に配置することができ、ユーザは、ハンドシャワーを操作する際、受信機の配置場所を確認する必要がない。
【０００９】
本発明によれば、発展形態において、遠隔制御装置を提供することができ、それは、前記遠隔制御装置のシャワーヘッドまたはハンドルに割り当てられた部分が保守不要となるように作動するものである。それによって達成されることは、例えばバッテリーの頻繁な交換など、交換手段を必要としないことである。特に、外部エネルギーなしで作動する遠隔制御装置を提供することができる。
【００１０】
保守不要の遠隔制御装置を実施するのに特に適した手段は、前記遠隔制御装置に圧電無線スイッチを収容することである。これらの圧電無線スイッチは、送信パルスを放射することができる電圧を短時間発生させるような単純な機械的操作によって作動させることができる。この送信パルスは符号化されているため、屋内であっても、遠隔制御装置がこのハンドシャワーに割り当てられていない別の弁にいかなる影響を及ぼすこともない。遠隔制御装置に必要な電圧は、圧電素子の機械的変形によってここで生成される。
【００１１】
遠隔制御装置用の受信機の配置が重要でないことは既に述べてきたが、それは受信機が弁と同じように固定位置に当然ながら配置されるためである。しかしながら本発明によれば、発展形態において、シャワーホースの接続部の領域、特に壁接続部に配置される遠隔制御装置に割り当てられた受信機を提供することができる。
【００１２】
従来技術では、弁がシャワーブースの外側に配置されるのに対して、本発明の発展形態では、シャワーホースの接続部、特に壁接続部に直接配置される弁を提供する。この弁は安全な条件の下で可能な水までの最短距離を提示するので、結果的に高速反応を達成することができる。さらにまた、スイッチを切った後、シャワーホース自身の流れを止めるだけでよい。
【００１３】
本発明によれば、壁接続部内に電池作動式の弁および／または遠隔制御装置の受信機を提供することができる。この位置では、ハンドシャワーのグリップ内よりも維持がより簡単になり面倒でなくなる。さらにまた、ここではいくらか大きな空間が利用可能である。弁は、電磁弁または電動機によって作動可能な他の弁であってよい。
【００１４】
電池作動式弁を使用する手段は、特に部品改良にとって好都合である。しかしながら、電源に水作動式発電機を使用することも可能である。
【００１５】
本発明の発展形態では、単純に圧力によって作動する弁または遠隔制御装置、および弁のスイッチを再び切るためにも使用される同様の作用を提供することができる。これは、特に単純な作動方法である。この場合、遠隔制御装置の作動要素は、変形可能もしくは隔壁で覆われているハンドルの一部に配置することができるため、当然ながらシャワーにトラブルを起こす穴、隙間、割れ目などが存在しなくなる。
【００１６】
本発明によれば、発展形態において、例えば、運転中の弁の温度調節を設定するモータが別の作動要素による圧力でスイッチを入れられるように構成された遠隔制御装置も提供することができる。調節はその後、さらなる作動によって停止することができる。また、それによってハンドシャワーのスイッチを入れたり切ったりするだけでなく、温度調節も行うことが可能になる。
【００１７】
また、別の消費者へ切替えるために切替弁を作動させる措置をとることもできる。
【００１８】
本発明のさらなる特徴、詳細および利点は、本発明の好適な実施形態の以下の説明および図面を参照することにより、それらの表現が本明細書の要旨となる特許請求の範囲および要約書から得ることができる。
【実施例】
【００１９】
図１は、シャワーヘッド１と、前記シャワーヘッドにつながるハンドル２と、シャワーグリップ２の外端部に接続されるシャワーホース３とを備えたハンドシャワーの側面図を示す。前記ハンドシャワーのシャワーヘッド１の詳細は、示されていない。ハンドル２の端部に一端部が接続されたシャワーホース３は、その他端部が、壁に収容された住宅設備と接続する壁接続ベンド４にねじ止めされる。壁接続ベンド４は、それを視覚的に覆うカバー５を有する。カバー５は、好ましくはプラスチックからなり、後で前記壁接続ベンドにカチッとはめることができる。
【００２０】
壁接続ベンド４には、２つの状態、正確には開弁および閉弁状態を経る電磁弁６がフランジ止めされている。したがって閉鎖状態では、水は壁接続ベンド４からシャワーホース３へ流れることができない。この種の電磁弁は既知であり、さらに、消費電流が少ない。
【００２１】
電磁弁６にすぐ隣接して、電磁弁６に動作可能に接続される無線受信機７が配置される。電磁弁および／または無線受信機７に供給するために、壁に向かう壁接続ベンド４の脚部の反対側にバッテリー８が収容される。図３は、円形断面を有するカバー５を示す。これは、他の慣習的な散水口の形状に対応する。
【００２２】
遠隔制御装置１０は、シャワーのハンドル２の下面に、すなわち噴射ディスクと同じ側に配置される。この遠隔制御装置は、外側からはハンドル２の内部にいくらか押すことのできるボタン１１の形で見られる。遠隔制御装置は、被覆ユニットとして、圧電無線スイッチ、すなわち特定の周波数帯域において送信パルスを放射する構造要素を収容する。この無線装置は、前記圧力によって、圧電要素が無線装置用の電流源を供給する電圧パルスを放射すべく誘起されるように作動する。この遠隔制御装置１０が一旦押されることにより、符号化無線パルスが生成・放射され、そのパルスは受信機７で受信・解釈されて、その状態を変える電磁弁６に導かれる。結果的に、ユーザがハンドシャワーから手を離したり、もう片方の手を使ったりせずに、前記ハンドシャワーへの水供給のスイッチを簡単な方法で切替えることが可能になる。
【００２３】
また、電磁弁の代わりにサーボモータを使用することが考えられる。
【００２４】
また、受信機を混合器具上に配置し、その後１つ以上のボタンを用いて温度調節を実行することも考えられる。適切な場合、この技術によって温度変化用の混合弁をさらに作動させることにより、設備条件の低費用化とともに、操作上の利便性の著しい向上がもたらされる。そのような制御装置は単独の操作ユニットとして、または、例えば混合弁上に配置されるユニットに加えて作動させることができる並列操作ユニットとして設けてもよい。
【００２５】
壁接続ベンドへ電磁弁を配置することは、電磁弁を後の段階で取り付けることができるという利点を有する。
【図面の簡単な説明】
【００２６】
【図１】本発明によるハンドシャワーの部分側断面図を示す。
【図２】弁を備えた壁接続ベンドの断面図を示す。
【図３】図２の線III−IIIに沿った図２の配置の断面図を示す。
【図１】
2008055162.tif 000003
【図２】
2008055162.tif 000004
【図３】
2008055162.tif 000005